(57)【特許請求の範囲】
【請求項１】
バルーンが接続されたバルーンカテーテルを取り付け、前記バルーンを膨張及び収縮させるＩＡＢＰ駆動装置であって、
モニタ部と、
前記バルーンを膨張及び収縮させる圧力発生手段と、前記モニタ部が設置されるモニタ設置部とを有する装置本体と、
前記ＩＡＢＰ駆動装置の駆動状況を監視し、所定のイベントが発生したか否かを検出する駆動状況監視部と、
前記イベントに関する情報を記憶する記憶部と、
前記モニタ部に設けられ、前記ＩＡＢＰ駆動装置に関する情報を表示する表示部と、
前記表示部の表示内容を制御する表示制御部と、を有し
前記駆動状況監視部は、前記イベントの履歴であるイベント履歴に関連付けて、前記イベント発生時前後における前記駆動状況を示す波形データを、前記記憶部に記憶させ、
前記表示制御部は、前記イベント履歴に対応させて、前記記憶部に記憶された前記波形データの内容を、前記表示部に表示させることを特徴とするＩＡＢＰ駆動装置。
【請求項２】
前記駆動状況監視部は、前記イベントの発生の１〜６０秒前から、前記イベントの発生の１〜６０秒後までの前記波形データを、前記記憶部に記憶させることを特徴とする請求項１に記載のＩＡＢＰ駆動装置。
【請求項３】
前記波形データは、患者の血圧に関する血圧データと、前記患者に取り付けられた心電計からの心電に関する心電データと、前記バルーンの内圧に関するバルーン内圧データとを含むことを特徴とする請求項１又は２に記載のＩＡＢＰ駆動装置。
【請求項４】
前記記憶部は、前記イベントに関して使用者に通知する情報である説明表示情報を記憶しており、
前記表示制御部は、前記イベント履歴に対応させて、前記説明表示情報の内容を、前記表示部に表示させることを特徴とする請求項１から３のいずれかに記載のＩＡＢＰ駆動装置。
【請求項５】
前記イベントの少なくとも一部は、前記ＩＡＢＰ駆動装置が有するパイロットランプによるアラーム動作を伴うものであることを特徴とする請求項１から４のいずれかに記載のＩＡＢＰ駆動装置。
【請求項６】
前記表示制御部は、前記波形データの内容を前記表示部に表示させる際、前記波形データが過去の前記イベント発生時前後のものであることを示す注意表示を、前記表示部に表示させることを特徴とする請求項１から５のいずれかに記載のＩＡＢＰ駆動装置。
【発明の詳細な説明】
【技術分野】
【０００１】
本発明は、ＩＡＢＰ（大動脈バルーンポンピング）において被駆動機器を駆動するために用いられるＩＡＢＰ駆動装置に関する。
【背景技術】
【０００２】
ＩＡＢＰにおいてバルーンカテーテルを駆動するために用いられる駆動装置では、被駆動機器であるバルーンの駆動状態を、チャート等の形式で表示可能な表示装置が搭載されているものが提案されている。また、このようなＩＡＢＰ駆動装置は、患者の容態の変化に伴うタイミング検出状態の変化や、バルーンの圧力変化など、ＩＡＢＰ駆動装置の駆動状態を監視する機能を有しており、万が一異常が発生した場合には、パイロットランプ等でオペレータに対して警告を発する。
【０００３】
一方で、ＩＡＢＰ駆動装置の点検等において、過去の駆動が正常に行われていたか否かを確認したい場合があり、駆動状況データをメモリカード等に記憶させる技術が提案されている（特許文献１参照）。
【先行技術文献】
【特許文献】
【０００４】
【特許文献１】特開平９−２２５０２２号公報
【発明の概要】
【発明が解決しようとする課題】
【０００５】
しかしながら、従来のＩＡＢＰ駆動装置は、メモリカード等に記録されたデータを、ＩＡＢＰ駆動装置とは別途用意された解析用のコンピュータに読み込ませなければ、過去の駆動状況等を波形表示させることができなかった。したがって、従来のＩＡＢＰ駆動装置は、不具合等が疑われる場合に、ＩＡＢＰ駆動装置の設置現場で、迅速に過去の駆動状況をチェック及び解析することが困難であった。
【０００６】
本発明は、このような実状に鑑みてなされ、過去の駆動状況をチェック及び解析することができ、容易に点検を行うことが可能なＩＡＢＰ駆動装置に関する。
【課題を解決するための手段】
【０００７】
上記目的を達成するために、本発明に係るＩＡＢＰ駆動装置は、
バルーンが接続されたバルーンカテーテルを取り付け、前記バルーンを膨張及び収縮させるＩＡＢＰ駆動装置であって、
前記ＩＡＢＰ駆動装置の駆動状況を監視し、所定のイベントが発生したか否かを検出する駆動状況監視部と、
前記イベントに関する情報を記憶する記憶部と、
前記ＩＡＢＰ駆動装置に関する情報を表示する表示部と、
前記表示部の表示内容を制御する表示制御部と、を有し
前記駆動状況監視部は、前記イベントの履歴であるイベント履歴に関連付けて、前記イベント発生時前後における前記駆動状況を示す波形データを、前記記憶部に記憶させ、
前記表示制御部は、前記イベント履歴に対応させて、前記記憶部に記憶された前記波形データの内容を、前記表示部に表示させる。
【０００８】
本発明に係るＩＡＢＰ駆動装置は、イベント履歴に対応させて、記憶部に記憶された波形データを、表示部に表示させる表示制御部を有するため、別途解析用のコンピュータを用意しなくても、ＩＡＢＰ駆動装置単独で、過去の駆動状況をチェック及び解析することが可能である。したがって、使用者や保守担当者は、必要に応じて、ＩＡＢＰ駆動装置の点検を容易に行うことができる。さらに、ＩＡＢＰ駆動装置の現場での使用者は、ＩＡＢＰ駆動装置の過去の駆動状況を、ＩＡＢＰ駆動装置の表示部に表示させることにより、医療現場でＩＡＢＰ駆動装置に関する技術的情報の共有を図り、ＩＡＢＰ駆動装置の最適な使用方法について、理解を深めることが可能である。
【０００９】
また、例えば、前記駆動状況監視部は、前記イベントの発生の１〜６０秒前から、前記イベントの発生の１〜６０秒後までの前記波形データを、前記記憶部に記憶させても良い。
【００１０】
波形データの記憶時間を適切に設定することにより、記憶部に必要とされる記憶容量を抑制しつつ、イベント発生時の駆動状況の適切なチェックが可能になる。
【００１１】
また、例えば、前記波形データは、患者の血圧に関する血圧データと、前記患者に取り付けられた心電計からの心電に関する心電データと、前記バルーンの内圧に関するバルーン内圧データとを含んでいても良い。
【００１２】
血圧データ、心電データ及びバルーン内圧データは、イベント発生時の駆動状況を認識するために非常に有用なデータであるため、このようなＩＡＢＰ駆動装置は、イベント発生時の駆動状況の適切なチェックが可能である。
【００１３】
また、例えば、前記記憶部は、前記イベントに関して使用者に通知する情報である説明表示情報を記憶していても良く、
前記表示制御部は、前記イベント履歴に対応させて、前記説明表示情報の内容を、前記表示部に表示させても良い。
【００１４】
表示部に説明表示情報の内容を表示させることにより、ＩＡＢＰ駆動装置の保守業者でない、医療現場におけるＩＡＢＰ駆動装置の使用者であっても、イベント発生に対して適切な対処を行うことが可能となる。
【００１５】
また、例えば、前記イベントの少なくとも一部は、前記ＩＡＢＰ駆動装置が有するパイロットランプによるアラーム動作を伴うものであっても良い。
【００１６】
警告動作が正常に行われていることは、ＩＡＢＰ駆動装置の点検等において非常に重要な事項であるため、過去の警告動作時における駆動状況をチェック可能なＩＡＢＰ駆動装置は、より正確な点検を行うことが可能である。
【００１７】
また、例えば、前記表示制御部は、前記波形データの内容を前記表示部に表示させる際、前記波形データが過去の前記イベント発生時前後のものであることを示す注意表示を、前記表示部に表示させても良い。
【００１８】
注意表示を行うことにより、表示部に表示されている波形データが、現在の駆動状況を示すものではなく、過去の駆動状況を示すものであることが明確になるため、勘違いによる装置の誤った使用を防止することができる。
【図面の簡単な説明】
【００１９】
【図１】図１は、本発明の一実施形態に係るＩＡＢＰ駆動装置の概略構成図である。
【図２】図２は、本発明の一実施形態に係るＩＡＢＰ駆動装置の全体外観図である。
【図３】図３は、図１に示すモニタ部の内部構成を表すブロック図である。
【図４】図４は、図３に示すイベント記憶部の構造を表す概念図である。
【図５】図５は、図２に示すモニタ部を正面から見た外観図である。
【図６】図６は、図５に示すコメント表示領域の表示の一例を表すイメージ図である。
【図７】図７は、図５に示すコメント表示領域の表示の他の一例を表すイメージ図である。
【図８】図８は、図５に示す表示部の表示の一例を表すイメージ図である。
【発明を実施するための形態】
【００２０】
以下、本発明に係るＩＡＢＰ駆動装置を、図面に示す実施形態に基づき、詳細に説明する。
【００２１】
図１は、本発明の一実施形態に係るＩＡＢＰ駆動装置１０の概略構成図である。ＩＡＢＰ駆動装置１０は、ＩＡＢＰ用バルーンカテーテル８０のバルーン８２を膨張及び収縮させるために用いられる駆動装置である。被駆動機器であるバルーンカテーテル８０は、ＩＡＢＰ駆動装置１０のカテーテル接続部２４に接続して使用される。ＩＡＢＰ用バルーンカテーテル８０の先端には、心臓の拍動に合わせて拡張及び収縮するバルーン８２が備えられており、バルーン８２は下行大動脈内に留置されて使用される。
【００２２】
図２は、ＩＡＢＰ駆動装置１０の外観図である。図１及び図２に示すように、ＩＡＢＰ駆動装置１０は、本体筐体部２２及びモニタ設置部３０を有する装置本体２０と、パイロットランプ５５、衝撃吸収部５７等を有するモニタ部５０とを有する。本体筐体部２２の内部には、バルーン８２を膨張・収縮するための圧力発生手段２６が収納されている。圧力発生手段２６は、バルーン８２を膨張させるヘリウム等のガスを貯蔵するガスタンクや、所定の圧力に保たれる圧力室や、圧力を伝達する圧力伝達隔壁装置（アイソレータ）や、圧力室を接続する配管及び電磁弁等を有している。圧力発生手段２６については、任意の公知技術を採用すればよく、その詳細な説明については省略する。本体筐体部２２の底部には、キャスター２８が備えられており、必要に応じてＩＡＢＰ駆動装置１０を迅速に移動させることが可能である。
【００２３】
モニタ部５０を設置するモニタ設置部３０は、本体筐体部２２の上方に設けられている。モニタ設置部３０は可動部を有しており、ＩＡＢＰ駆動装置１０の使用者は、本体筐体部２２を動かすことなく、モニタ部５０の向きを変更することが可能である。
【００２４】
モニタ部５０は、モニタ設置部３０に対して着脱自在に取り付けられる。ＩＡＢＰ駆動装置１０の使用者は、必要に応じて、装置本体２０とは離れた場所にモニタ部５０を設置して、そこから装置本体２０を操作することが可能である。モニタ部５０は略矩形平板状の形状を有している。モニタ部５０は、中央上部に設けられるパイロットランプ５５と、正面上部に設けられる表示部５４と、正面下部に設けられる入力部５６と、筐体を周方向に取り囲むように帯状に設けられる衝撃吸収部５７とを有する。また、モニタ部５０は、不図示のケーブルによって本体筐体部２２と接続されており、装置本体２０と通信可能である。
【００２５】
図５は、モニタ部５０を正面側から視た平面図である。表示部５４は、ＩＡＢＰ駆動装置１０に関する情報を表示する。表示部５４は、表示部５４の上部に位置し、主に文字情報を表示するコメント表示領域５４ａと、表示部５４の中央部から下部に位置し、主に波形を表示する波形表示領域５４ｂとを有する。表示部５４は、液晶表示パネル等で構成される。
【００２６】
入力部５６は、複数のボタン、選択キー等によって構成されており、ＩＡＢＰ駆動装置１０の操作者は、入力部５６を介して操作信号を入力し、ＩＡＢＰ駆動装置１０の駆動開始及び停止、駆動条件の変更、表示部５４の表示内容の変更等を行うことができる。また、入力部５６が配置されている部分は、表示部５４が配置されている部分に対して、正面に起き上がる方向に屈曲しており、１５度〜２０度傾斜している。このようなモニタ部５０は、表示部５４を鉛直に近い状態に立てた状態で、入力部５６のボタン操作を正確に行うことができるため、視認性と操作性を両立できる。
【００２７】
パイロットランプ５５は、透明又は半透明のカバー及びカバーの内部に配置された複数のＬＥＤ等によって構成される。パイロットランプ５５は、後述する制御部５２の制御により、バルーンカテーテル８０の駆動状態に応じて点灯状態が変化する。パイロットランプ５５は、ＩＡＢＰ駆動装置１０及び被駆動機器であるバルーンカテーテル８０の状態を表すものであり、ベッドサイドモニタ等の警告灯のように、心拍のような患者の状態を直接表すものとは、表示の意味が異なる。
【００２８】
衝撃吸収部５７は、万が一落下した時などに生じる衝撃から、表示部５４及びパイロットランプ５５を保護する。衝撃吸収部５７の材質は特に限定されないが、ゴム又はエラストマのような弾性を有する材料によって構成される。
【００２９】
図３は、モニタ部５０の内部構成を表すブロック図である。モニタ部５０は、図２及び図５に示す表示部５４、パイロットランプ５５、入力部５６の他に、制御部５２、記憶部６０、外部メモリ取付部５８等を有する。制御部５２と記憶部６０は、モニタ部５０の筐体内部に収納されている。
【００３０】
制御部５２は、ＩＡＢＰ駆動装置１０の制御を行う。制御部５２は、被駆動機器であるバルーンカテーテル８０の駆動を制御する駆動制御部５２ａと、駆動制御部５２ａ等によるＩＡＢＰ駆動装置１０全体の駆動状況を監視する駆動状況監視部５２ｂと、表示部５４の表示内容を制御する表示制御部５２ｃとを有する。なお、駆動制御部５２ａ、駆動状況監視部５２ｂ、表示制御部５２ｃは演算内容による機能的な構成部分であり、制御部５２は１つのマイクロプロセッサによって構成されていても良く、制御部５２の各構成部分が異なる集積回路で構成されていても良い。
【００３１】
駆動制御部５２ａは、患者に取り付けられた心電計、バルーンカテーテル８０及び装置本体２０に内蔵される各種センサ等から信号を受け取るとともに演算処理を実施し、装置本体２０の圧力発生手段２６を制御し、バルーンカテーテル８０の駆動を行う。駆動制御部５２ａは、圧力発生手段２６等の駆動に必要な制御情報６８を、記憶部６０から読み出すことができる。
【００３２】
駆動状況監視部５２ｂは、バルーンカテーテル８０を含むＩＡＢＰ駆動装置１０全体の駆動状況を監視し、ＩＡＢＰ駆動装置１０の駆動中に、所定のイベントが発生したか否かを検出する。また、ＩＡＢＰ駆動装置１０は、所定のイベントが発生したことを検出した場合、イベント記憶部６２に所定の情報を記憶させたり、パイロットランプ５５の点灯状態を変化させたりするなど、発生したイベントに対応する制御を実施する。
【００３３】
駆動状況監視部５２ｂによって検出されるイベントとしては、特に限定されないが、イベントの少なくとも一部には、パイロットランプ５５によるアラーム動作を伴うものが含まれる。駆動状況監視部５２ｂは、例えば、重度の問題（例えば、駆動制御部５２ａの動作異常やバルーン８２を膨張・収縮するための圧力の異常などのＩＡＢＰ駆動装置１０の駆動停止や患者の生命に関わる事象）を検出した警報時には、パイロットランプ５５を赤色に点灯し、軽微な問題（例えば、放置すると重度な問題を引き起こす可能性のある事象）を検出した警告時にはパイロットランプ５５を黄色に点灯させるなどの、アラーム動作を行う。なお、駆動状況監視部５２ｂは、バルーン８２が正常に駆動している場合は、パイロットランプ５５を緑色に点灯させる。
【００３４】
駆動状況監視部５２ｂによって検出されるイベントとしては、例えば、「ヘリウム・ガスモレ」、「バッテリ残量低下」、「バルーン内圧低下」、「トリガ検出不良」、「バルーン内圧が高い」、「ラインヘイソク」、「バルーン接続不良」等のように、駆動状況の変化や、駆動状況が変化する兆候に関連するものが挙げられる。
【００３５】
駆動状況監視部５２ｂは、イベントを検出した場合、検出したイベントに関する情報を、記憶部６０におけるイベント記憶部６２に記憶させる。イベント記憶部６２は、駆動中に発生したイベントの種類、イベントが発生した時刻などのイベント履歴を記憶したイベント履歴データ６３を有している。駆動状況監視部５２ｂは、イベントを検出する毎に、イベント履歴データ６３に新しいイベントに関する情報を追加し、イベント履歴データ６３を更新する。
【００３６】
また、イベント記憶部６２は、イベント発生時前後におけるＩＡＢＰ駆動装置の駆動状態を示す波形データを記憶する波形記憶部６４を有する。駆動状況監視部５２ｂは、所定のイベントを検出した場合、イベント履歴データ６３として記憶されるイベント履歴に対応させて、波形記憶部６４に波形データを記憶させる。波形記憶部６４に記憶される波形データの長さは特に限定されないが、そのイベントの発生の１〜６０秒前から、イベントの発生の１〜６０秒後までの波形データを記憶させることが好ましい。
【００３７】
波形記憶部６４が記憶する波形データは、所定のサンプリング間隔で継続的に取得された特性値群であり、患者の血圧に関する血圧データ６４ａや、患者に取り付けられた心電計からの心電に関する心電データ６４ｂや、バルーン８２の内圧に関するバルーン内圧データ６４ｃが例示される。イベントが発生していない間も、波形データは、駆動制御部５２ａによる制御により、記憶部６０の一時記憶部６１に所定時間保存される。しかし、一時記憶部６１に記憶される波形データは、駆動継続中は逐次更新されるようになっており、新たな波形データが記憶されることにより、古い波形データは自動的に消去される。駆動状況監視部５２ｂは、所定のイベントを検出した際、一時記憶部６１に記憶される波形データを読み出すことにより、イベント発生後の波形データだけでなく、イベント発生前の波形データも、波形記憶部６４に記憶させることができる。波形記憶部６４に記憶された波形データは、入力部５６等を介した所定の消去指示が入力されない限り、消去されることはない。なお、一時記憶部６１における波形データの記憶時間は特に限定されないが、波形記憶部６４に記憶されるイベント発生前の波形データの長さより長い時間波形データを記憶できることが好ましく、例えば８０秒程度とすることができる。
【００３８】
図４は、イベント記憶部６２におけるデータの記憶状態を説明した概念図である。駆動状況監視部５２ｂは、新しいイベントに関する情報をイベント履歴データ６３に追加する際、その新しいイベントに対応する識別符号（図４における「００１」、「００２」、「００３」）を付与した上で、イベントの種類や発生時刻を記憶させる。また、駆動状況監視部５２ｂは、波形記憶部６４に記憶される血圧データ６４ａ、心電データ６４ｂ、バルーン内圧データ６４ｃについても、イベント履歴データ６３と同様に、新しいイベントに対応する識別符号を付与した上で、各波形データ（血圧データ６４ａ、心電データ６４ｂ、バルーン内圧データ６４ｃ）を、波形記憶部６４に記憶させる。
【００３９】
このように、特定のイベントに関連する情報であることを示す識別符号を付与することにより、イベント履歴データ６３として記憶された特定のイベントと、その特定のイベントの発生時前後の波形データとの関連付けがなされている。なお、イベント履歴と波形データとを関連付ける方法は、識別符号を付与する方法に限られず、イベント履歴データ６３に記録された特定のイベントと、そのイベント発生前後における駆動状況を示す波形データとを、表示制御部５２ｃが識別可能な方法であれば、どのような方法であっても良い。
【００４０】
図３に示す表示制御部５２ｃは、通常、駆動制御部５２ａによってバルーンカテーテル８０の駆動が行われている間は、患者の血圧を示す血圧波形や、心電計から入力される心電波形や、バルーンの内圧を示すバルーン内圧波形を、表示部５４の波形表示領域５４ｂ（図５参照）に、リアルタイム表示させる。また、表示制御部５２ｃは、入力部５６からの操作信号を受けて、イベント履歴に対応させて、血圧データ６４ａ、心電データ６４ｂ、バルーン内圧データ６４ｃのような波形データの内容（波形）を、表示部５４の波形表示領域５４ｂに表示させることができる。
【００４１】
さらに、表示制御部５２ｃは、入力部５６からの操作信号を受けて、イベント履歴データ６３の内容や、特定のイベントに関して使用者に通知する情報である説明表示情報６６の内容を、表示部５４のコメント表示領域５４ａに表示させることができる。また、表示制御部５２ｃは、波形記憶部６４に記憶された波形データの内容を波形表示領域５４ｂに表示させる際、表示された波形が過去のイベント発生時前後のものであり、リアルタイムの波形でないものを示す注意表示８６（図８参照）を、コメント表示領域５４ａに表示させることができる。
【００４２】
記憶部６０は、上述したように、波形記憶部６４を含むイベント記憶部６２と、一時記憶部６１とを有しており、イベント履歴データ６３、血圧データ６４ａ、心電データ６４ｂ、バルーン内圧データ６４ｃを記憶する。また、記憶部６０は、これらの他に、説明表示情報６６や、制御情報６８を記憶する。記憶部６０に記憶された情報は、制御部５２によって読み出しされる。また、制御部５２は、必要に応じて、記憶部６０に記憶された情報の変更及び消去を行うことができる。記憶部６０は、ハードディスクやフラッシュメモリのような不揮発性のメモリによって構成されるが、情報を記憶及び更新可能なものであれば、特に限定されない。
【００４３】
モニタ部５０は、外部メモリ取付部５８を有しており、ＵＳＢメモリのような着脱可能な記憶媒体を取り付けることができる。制御部５２は、外部メモリ取付部５８に取り付けられた記憶媒体に対して、記憶部６０に記憶された情報をコピーすることができる。また、モニタ部５０は、プリンタ８４と通信することが可能であり、ＩＡＢＰ駆動装置１０の使用者は、必要に応じて、波形データ等を印刷することができる。
【００４４】
以下、図６〜図８等を用いて、表示制御部５２ｃ及び表示部５４等による波形データの表示動作の一例を説明する。
【００４５】
図６は、図５に示す表示部５４におけるコメント表示領域５４ａの表示の一例を表している。表示制御部５２ｃ（図３参照）は、入力部５６からの操作信号等を受けて、イベント記憶部６２のイベント履歴データ６３を読み出し、ＩＡＢＰ駆動装置１０のイベント履歴を、コメント表示領域５４ａに表示する。コメント表示領域５４ａには、イベント履歴データ６３に記憶されているイベントの種類や発生時間などが、リスト形式で表示される。操作者は、入力部５６を操作して、コメント表示領域５４ａに表示されたイベントのリストから、確認したいイベントを選択する。
【００４６】
例えば、操作者が、図６のイベントのリストから「００９：ヘリウム・ガスモレ  ００：２０：２２」のイベントを選択した場合、表示制御部５２ｃ（図３参照）は、「ヘリウム・ガスモレ」のイベントが発生した際に使用者に通知する情報を、記憶部６０の説明表示情報６６から読みだし、コメント表示領域５４ａに表示させる（図７参照）。また、表示制御部５２ｃは、イベントのリストから特定のイベントが選択された場合、「印刷」及び「波形」のアイコンを、コメント表示領域５４ａに表示させる。
【００４７】
さらに、操作者が「波形」のアイコンを選択した旨の信号を受け取った場合、表示制御部５２ｃは、イベント履歴から選択されたイベントの発生時前後における駆動状況を示す波形データを、イベント記憶部６２の波形記憶部６４から読み出し、表示部５４の波形表示領域５４ｂに、チャート（波形）の形式で表示する。図８は、表示制御部５２ｃが、イベント履歴から選択されたイベントの発生時前後における波形データの内容を、波形表示領域５４ｂに表示させた状態を表している。
【００４８】
図８に示すように、表示制御部５２ｃは、波形表示領域５４ｂに表示された波形が過去のイベント発生時前後のものであり、リアルタイムの波形でないことを示す注意表示８６を、コメント表示領域５４ａに表示させることにより、操作者の勘違いを回避できる。また、表示制御部５２ｃは、波形表示領域５４ｂにカーソル８８を表示し、操作者が入力部５６を介してカーソル８８を移動させることにより、表示された波形データの所定時間における数値８９を、認識できるようになっている。
【００４９】
このように、本実施形態に係るＩＡＢＰ駆動装置１０のモニタ部５０は、イベント履歴に対応する過去の波形データの内容を、表示部５４に表示させる表示制御部５２ｃを有するため、別途解析用のコンピュータを用意しなくても、ＩＡＢＰ駆動装置１０単独で、過去の駆動状況をチェック及び解析することが可能である。したがって、装置の使用者や保守担当者は、必要に応じて、ＩＡＢＰ駆動装置１０の点検を、容易かつ迅速に行うことができる。
【００５０】
また、使用者は、ＩＡＢＰ駆動装置１０の過去の駆動状況を示す波形を、表示部５４に表示させることにより、医療現場でＩＡＢＰ駆動装置１０に関する技術的情報の共有を図り、ＩＡＢＰ駆動装置１０の最適な使用方法について、理解を深めることが可能である。ＩＡＢＰ駆動装置１０を用いることにより、ＩＡＢＰ駆動装置１０の駆動状況を、過去の具体的な医療処置で観察された波形を示しながら説明できるため、効果的な院内教育を行うことができる。
【００５１】
特に、ＩＡＢＰ駆動装置１０は、様々な種類の駆動状況に対して警告・警報動作を行う機能を有しており、使用者がその警告・警報動作の意味を正確に理解することが、患者に対して適切にＩＡＢＰを行うために極めて重要である。ＩＡＢＰ駆動装置１０は、過去の警告・警報動作の際の波形データの内容を容易に確認し、具体例と照らし合わせて警告・警報動作の意味を理解することができるため、使用者のスキルアップに資する。
【００５２】
なお、本発明に係るＩＡＢＰ駆動装置は、上述の実施形態に示すものに限定されず、発明の技術的思想を逸脱しない範囲で、様々な変更及び改良を施すことができる。例えば、図３に示すイベント記憶部６２に記憶されたイベント履歴データ６３及び波形データ（血圧データ６４ａ、心電データ６４ｂ、バルーン内圧データ６４ｃ）は、イベントの種別毎に分類されていてもよく、また、表示制御部５２ｃは、イベントの種類で、イベント履歴データ６３を検索可能であっても良い。
【符号の説明】
【００５３】
１０…ＩＡＢＰ駆動装置
５０…モニタ部
５２…制御部
５２ａ…駆動制御部
５２ｂ…駆動状況監視部
５２ｃ…表示制御部
５４…表示部    
５５…パイロットランプ
６０…記憶部
６２…イベント記憶部
６３…イベント履歴データ
６４…波形記憶部
６４ａ…血圧データ
６４ｂ…心電データ
６４ｃ…バルーン内圧データ
８０…バルーンカテーテル
８６…注意表示
【図１】
0006540935.tif 000002
【図２】
0006540935.tif 000003
【図３】
0006540935.tif 000004
【図４】
0006540935.tif 000005
【図５】
0006540935.tif 000006
【図６】
0006540935.tif 000007
【図７】
0006540935.tif 000008
【図８】
0006540935.tif 000009